(57)【要約】【課題】衛生洗浄装置の洗浄動作中に一時的に高温の水が流入しても、洗浄機能を使用不可としない。【解決手段】洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が設定値以上の高温である場合には、洗浄水が人体に当たらない洗浄用ノズルの位置で、一定時間給水状態にすることを特徴とする。【選択図】  図２
2004293064.tif 000002
【特許請求の範囲】
【請求項１】
洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が設定値以上の高温である場合には、所定時間を経過するまで給水を継続して洗浄水が人体に当たらない状態で前記洗浄水を系外に吐水することを特徴とする衛生洗浄装置。
【請求項２】
洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が第１の設定値以上の高温である場合には、、前記洗浄水温度検知手段の検知温度が第２の設定値以下になるまで給水を継続して洗浄水が人体に当たらない状態で前記洗浄水を系外に吐水することを特徴とする衛生洗浄装置。
【請求項３】
洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が第１の設定値以上の高温である場合には、前記洗浄水温度検知手段の検知温度が第２の設定値以下になるか、又は所定の制限時間が経過するまで給水を継続し、洗浄水が人体に当たらない状態で前記洗浄水を系外に吐水することを特徴とする衛生洗浄装置。。
【請求項４】
請求項３に記載の衛生洗浄装置において、前記制限時間が経過したときに前記洗浄水温度検知手段の検知温度が第２の設定値以上であれは、再度前記洗浄水温度検知手段の検知温度が第２の設定値以下になるか、又は所定の前記制限時間が経過するまで給水を継続して洗浄水が人体に当たらない状態で前記洗浄水を系外に吐水する一連の動作を、前記検知温度が設定温度以下になるまで所定の禁止回数になるまで繰り返し可能とし、前記禁止回数繰り返した場合は使用者の吐水指示を拒否する吐水禁止モードに移行させることを特徴とする衛生洗浄装置。
【請求項５】
洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が設定値以上の高温である場合には、洗浄水が人体に当たらない状態で所定時間を経過するまで給水を継続して前記洗浄水を系外に吐水し、前記所定時間経過後に前記吐水を停止して前記洗浄ノズルを収納する一連の動作を、前記検知温度が設定温度以下になるまで最大で所定の禁止回数になるまで繰り返し可能とし、前記禁止回数繰り返した場合は使用者の吐水指示を拒否する吐水禁止モードに移行させることを特徴とする衛生洗浄装置。
【請求項６】
洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が第１の設定値以上の高温である場合には、前記洗浄水温度検知手段の検知温度が第２の設定値以下になるまで洗浄水が人体に当たらない状態で前記洗浄水を系外に吐水する一連の動作を所定の回数になるまで繰り返し可能とし、前記禁止回数繰り返した場合は使用者の吐水指示を拒否する吐水禁止モードに移行させることを特徴とする衛生洗浄装置。
【発明の詳細な説明】
【０００１】
【発明の属する技術分野】
本発明は、便器に据付けられ人体局部の温水洗浄を行う衛生洗浄装置に関する。
【０００２】
【従来の技術】
従来、人体局部の温水洗浄を行う衛生洗浄装置において、洗浄水がある一定以上の高温になった場合には、洗浄機能を停止とするものがある（例えば、特許文献１参照。）。
【０００３】
【特許文献１】
実開平５−２５６９６号公報
【０００４】
これは、衛生洗浄装置の故障時など、高温の水が人体へ直接かかり、火傷等の危害が加わることを防止するためである。その一方で、以下のような不都合を生じていた
移動体、例えばキャンピングカー等に設置されている衛生洗浄装置の場合、寒冷地や冬場での配管の凍結防止のため、配管をテープヒータなどで加熱している。このテープヒータの温度制御がラフであると、温水洗浄装置に接続される配管内の水が一時的に高温になり、衛生洗浄装置の洗浄機能を使用中に、高温の水が洗浄水貯留手段内に流入し、洗浄水温度検知手段からの信号によって、制御手段が安全のために衛生洗浄装置の洗浄機能を使用不可にしてしまうことになる。
【０００５】
【発明が解決しようとする課題】
しかしながら、衛生洗浄装置へ接続される配管内の水が人体に影響を与える程の高温になるのは配管内の一部分であることが多く、この部分的な高温の水を排水すれば再度衛生洗浄装置が使用可能であるにもかかわらず、洗浄機能が使用不可状態となってしまうため、使用者が衛生洗浄装置の電源をリセットするなどしても、洗浄水貯留手段内に高温の水が留まっているため制御手段が洗浄動作を停止したままであり、洗浄水貯留手段内の水を抜くか、洗浄水貯留手段内の水が自然に放熱して、温度が下がるまで待つ必要があるため、使用者に不便であった。
【０００６】
本発明は、この様な課題を解決するためのものであり、衛生洗浄装置に接続される配管内の一部の水が高温であっても、使用者の手を煩わせることなく洗浄機能使用不可状態を解除する衛生洗浄装置を提供することを目的とする。
【０００７】
【課題を解決するための手段】
上記問題を解決するため、請求項１は、洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が設定値以上の高温である場合には、所定時間を経過するまで給水を継続して洗浄水が人体に当たらない状態で前記洗浄水を系外に吐水することを特徴とする。これにより、移動体内の配管の一部で熱せられた高温の水が衛生洗浄装置内に流入しても、洗浄水が人体に噴出しない洗浄ノズルの位置で一定時間給水し続けるため、洗浄水温度検出手段からの信号によって、制御手段が安全のために衛生洗浄装置の洗浄機能を使用不可にしてしまうことがないようにすることができる。
【０００８】
また、請求項２は、洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が第１の設定値以上の高温である場合には、、前記洗浄水温度検知手段の検知温度が第２の設定値以下になるまで給水を継続し、洗浄水が人体に当たらない状態で前記洗浄水を系外に吐水することを特徴とする。これにより、移動体内の配管の一部で熱せられた高温の水が衛生洗浄装置内に流入しても、洗浄水が人体に噴出しない洗浄ノズルの位置で、洗浄温度検知手段の検知温度が第２に設定された値となるまで給水し続けるため、制御手段が安全のために衛生洗浄装置の洗浄機能を使用不可にしてしまうことがないようにすることができる。
【０００９】
また、請求項３は、洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が第１の設定値以上の高温である場合には、前記洗浄水温度検知手段の検知温度が第２の設定値以下になるか、又は所定の制限時間が経過するまで給水を継続し、洗浄水が人体に当たらない状態で前記洗浄水を系外に吐水することを特徴とする。これにより、移動体内の配管の一部で熱せられた高温の水が衛生洗浄装置内に流入し、洗浄水が人体に噴出しない洗浄ノズルの位置で給水を続け、洗浄温度検知手段の検知温度が設定値以下とならなくても、一定時間で給水を停止するため、移動体内の水を多量に無駄に捨てることがないようにすることができる。
【００１０】
また、請求項４は、請求項３に記載の衛生洗浄装置において、前記制限時間が経過したときに前記洗浄水温度検知手段の検知温度が第２の設定値以上であれは、再度前記洗浄水温度検知手段の検知温度が第２の設定値以下になるか、又は所定の前記制限時間が経過するまで給水を継続して洗浄水が人体に当たらない状態で前記洗浄水を系外に吐水することを特徴とする。これにより、移動体内の配管の一部で熱せられた高温の水が衛生洗浄装置内に流入し、洗浄水が人体に噴出しない洗浄ノズルの位置で給水を続けても、設定回数しか行わないため、移動体の運転が比較的長時間であっても、移動体内の水を多量に無駄に捨てることがないようにすることができる。
【００１１】
また、請求項５は、洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が設定値以上の高温である場合には、洗浄水が人体に当たらない状態で所定時間給水して前記洗浄水を系外に吐水を行い、前記所定時間経過後前記吐水を停止して前記洗浄ノズルを収納する一連の動作を、前記検知温度が設定温度以下になるまで最大で所定の回数繰り返し、前記所定回数繰り返した場合は使用者の吐水指示を拒否する吐水禁止モードに移行させることを特徴とする。これにより、移動体内の配管の一部で熱せられた高温の水が衛生洗浄装置内に流入し、洗浄水が人体に噴出しない洗浄ノズルの位置で給水を続けても、設定回数しか行わないため、移動体の運転が比較的長時間であっても、移動体内の水を多量に無駄に捨てることがないようにすることができる。
【００１２】
また、請求項６は、洗浄水を貯留する洗浄水貯留手段と、給水口からの前記洗浄水貯留手段への給水を制御する給水制御手段と、給水口からの洗浄水の温度を検知する洗浄水温度検知手段と、人体局部へ向けて洗浄水を噴出する洗浄用ノズルと、前記洗浄用ノズルを駆動するノズル駆動手段と、前記洗浄水温度検知手段が設定値以上の高温を検知すると給水を停止する制御手段とを有する衛生洗浄装置において、前記洗浄水温度検知手段による検知温度が第１の設定値以上の高温である場合には、前記洗浄水温度検知手段の検知温度が第２の設定値以下になるまで洗浄水が人体に当たらない状態で前記洗浄水を系外に吐水する一連の動作を所定の回数繰り返し、前記所定回数繰り返した場合は使用者の吐水指示を拒否する吐水禁止モードに移行させることを特徴とする。これにより、移動体内の配管の一部で熱せられた高温の水が衛生洗浄装置内に流入し、洗浄水が人体に噴出しない洗浄ノズルの位置で給水を続けても、設定回数しか行わないため、移動体の運転が比較的長時間であっても、移動体内の水を多量に無駄に捨てることがないようにすることができる。
【００１３】
【発明の実施の形態】
本発明の内容をより理解しやすくするため、以下に実施例を用いて詳説する。
【実施例】
図１に本発明に係わる衛生洗浄装置の要部ブロック構成図を示す。図１において、洗浄水を供給する給水配管には、上流側から順に、給水部１、フィルタ２、逆止弁３、調圧弁４が接続されている。調圧弁４の下流は、流路の通水を制御する電磁弁７に接続されている。電磁弁７の下流は、安全弁８を介して温水タンク９へ接続されている。また、温水タンク９内には、温水ヒータ１０及び、満水を検知するためのフロートＳＷ１１、及び温水タンク内の温度を検知するための温水サーミスタ１６が設けられている。通常、フロートＳＷ１１は磁気を検出してＯＮ／ＯＦＦするリードＳＷがもちいられる。
【００１４】
また、温水タンク９の下流には、バキュームブレーカ１２が接続され、さらに流路切替兼流量調整弁１３が接続されている。流路切替兼流量調整弁１３の下流は、洗浄水を人体へ噴出するノズル装置１４へ接続されている。また、ノズル装置１４には、おしり洗浄流路、やわらか洗浄流路、ビデ洗浄流路の３つの流路が構成されており、制御手段５からの指示により適宜流路を切り替えることができる。また、ノズル装置１４には、洗浄水を人体局部へあてるため、ノズルを駆動するノズルモータを備えている。
【００１５】
上記の構成により、電磁弁７の開動作により給水部１から供給された洗浄水は、温水タンク９により適温の湯に加熱され、バキュームブレーカ１２を押し上げ、流路切替兼流量調整弁１３へと至る。ここで洗浄水は、流路切替兼流量調整弁１３により流量調節され、選択された流路を通り、ノズル装置１４から噴出されるのである。
【００１６】
また、制御手段５は、着座検出手段６からの信号を受けて制御している。ここでは、着座検出手段６は光電反射式センサーを記載している。着座検出手段６は赤外線を投光して、対象物（人体）からの反射光のレベルで対象物の有無を判断して制御手段５に出力している。
さらに、制御手段５は、着脱検出手段１５からの信号を受けて制御している。ここでは、着脱検出手段１５は普通、衛生洗浄装置と便器と取付け機構で構成されている。着脱検出手段１５は衛生洗浄装置と便器との取付け面に突起したマイクロＳＷ等で、衛生洗浄装置が着脱され、便器面から浮き上がるとＯＦＦするような構造で構成される。（ここでは詳細略）
【００１７】
図２に本発明における請求項１の制御内容をフローチャートで示している。ここでは洗浄水温度検出手段をサーミスタとし、給水制御手段を電磁弁として、電磁弁ＯＮを給水開始、電磁弁ＯＦＦを給水停止としている。まず、洗浄ＳＷ  ＯＮ後、（Ｓ１０１）でノズルを洗浄位置へ駆動させ、（Ｓ１０２）で電磁弁をＯＮさせ給水を開始し、（Ｓ１０３）でサーミスタの温度が設定値Ｔ１より低ければ、（Ｓ１０４）で止信号が入力されるまで、（Ｓ１０３）に戻る。ここで、止信号とは、洗浄停止ＳＷ  ＯＮや、着座検出信号  ＯＦＦなどである。（Ｓ１０３）でサーミスタ温度が設定値Ｔ１より高ければ、（Ｓ１０５）で電磁弁をＯＦＦして給水を停止し、（Ｓ１０６）でノズルを捨水位置へ駆動させる。ここで、捨水位置とは、ノズルから噴出する水が人体に当たらない位置であり、例えば、ノズル収納状態で、ノズルから噴出する水はノズルを収納するケースなどに当たって、人体には当たらずに便器内へ落ちる。次に、（Ｓ１０７）でタイマをスタートさせ、時間を計測してから、（Ｓ１０８）で電磁弁をＯＮし給水を開始する。（Ｓ１０９）でタイマのカウントが設定値になった後、に、（Ｓ１１０）で電磁弁をＯＦＦし給水を停止させ、（Ｓ１１１）でノズルを収納位置へ駆動させ、洗浄待機状態へ移る。これにより、洗浄動作中に、一時的に高温の水が流入してきても、サーミスタの温度が設定値より高い場合のみ、一定時間給水を続けることで高温の水を排水することができる。
【００１８】
図３に本発明における請求項２の制御内容をフローチャートで示している。ここでは洗浄水温度検出手段をサーミスタとし、給水制御手段を電磁弁として、電磁弁ＯＮを給水開始、電磁弁ＯＦＦを給水停止としている。まず、洗浄ＳＷ  ＯＮ後、（Ｓ２０１）でノズルを洗浄位置へ駆動させ、（Ｓ２０２）で電磁弁をＯＮさせ給水を開始し、（Ｓ２０３）でサーミスタの温度が設定値Ｔ１より低ければ、（Ｓ２０４）で止信号が入力されるまで、（Ｓ２０３）に戻る。ここで、止信号とは、洗浄停止ＳＷ  ＯＮや、着座検出信号  ＯＦＦなどである。（Ｓ２０３）でサーミスタ温度が設定値Ｔ１より高ければ、（Ｓ２０５）で電磁弁をＯＦＦして給水を停止し、（Ｓ２０６）でノズルを捨水位置へ駆動させる。ここで、捨水位置とは、ノズルから噴出する水が人体に当たらない位置であり、例えば、ノズル収納状態で、ノズルから噴出する水はノズルを収納するケースなどに当たって、人体には当たらずに便器内へ落ちる。次に、（Ｓ２０７）で電磁弁をＯＮし給水を開始する。（Ｓ２０８）で、サーミスタの温度が設定値Ｔ２より低くなれば、（Ｓ２０９）で電磁弁をＯＦＦし給水を停止させ、（Ｓ２１０）でノズルを収納位置へ駆動させ、洗浄待機状態へ移る。これにより、洗浄動作中に、一時的に高温の水が流入してきても、サーミスタの温度が設定値より高い場合のみ、給水を続けることで高温の水を排水することができる。
【００１９】
図４に本発明における請求項３の制御内容をフローチャートで示している。ここでは洗浄水温度検出手段をサーミスタとし、給水制御手段を電磁弁として、電磁弁ＯＮを給水開始、電磁弁ＯＦＦを給水停止としている。まず、洗浄ＳＷ  ＯＮ後、（Ｓ３０１）でノズルを洗浄位置へ駆動させ、（Ｓ３０２）で電磁弁をＯＮさせ給水を開始し、（Ｓ３０３）でサーミスタの温度が設定値Ｔ１より低ければ、（Ｓ３０４）で止信号が入力されるまで、（Ｓ３０３）に戻る。ここで、止信号とは、洗浄停止ＳＷ  ＯＮや、着座検出信号  ＯＦＦなどである。（Ｓ３０３）でサーミスタ温度が設定値Ｔ１より高ければ、（Ｓ３０５）で電磁弁をＯＦＦして給水を停止し、（Ｓ３０６）でノズルを捨水位置へ駆動させる。ここで、捨水位置とは、ノズルから噴出する水が人体に当たらない位置であり、例えば、ノズル収納状態で、ノズルから噴出する水はノズルを収納するケースなどに当たって、人体には当たらずに便器内へ落ちる。次に、（Ｓ３０７）でタイマをスタートさせ、（Ｓ３０８）で電磁弁をＯＮし給水を開始する。（Ｓ３０９）で、サーミスタの温度が設定温度Ｔ２より低くなれば、（Ｓ３１１）で電磁弁をＯＦＦし給水を停止させ、（Ｓ３１２）でノズルを収納位置へ駆動させ、洗浄待機状態へ移る。（Ｓ３０９）でサーミスタ温度が設定値Ｔ２より高いままであっても、（Ｓ３１０）でタイマのカウントが設定値になれば、（Ｓ３１１）で電磁弁をＯＦＦし給水を停止させ、（Ｓ３１２）でノズルを収納位置へ駆動させ、洗浄待機状態へ移る。これにより、洗浄動作中にサーミスタの温度が設定値より高い場合は給水を継続するが、一定時間経過すると給水を停止するので、多量の水を無駄に捨てることがなくてすむ。
【００２０】
図５に本発明における請求項４の制御内容をフローチャートで示している。ここでは洗浄水温度検出手段をサーミスタとし、給水制御手段を電磁弁として、電磁弁ＯＮを給水開始、電磁弁ＯＦＦを給水停止としている。まず、洗浄ＳＷをＯＮ後、（Ｓ６０１）でノズルを洗浄位置へ駆動させ、（Ｓ６０２）で電磁弁をＯＮさせ給水を開始し、（Ｓ６０３）でサーミスタの温度が設定値Ｔ１より低ければ、（Ｓ６０４）で止信号が入力されるまで、（Ｓ６０３）に戻る。ここで、止信号とは、洗浄停止ＳＷ  ＯＮや、着座検出信号  ＯＦＦなどである。（Ｓ６０３）でサーミスタ温度が設定値Ｔ１より高ければ、（Ｓ６０５）でこの制御の回数カウントが設定値Ｎより大きい場合は、洗浄不可状態へ移行する。また、回数カウントがＮ以下の場合は、（Ｓ６０６）で回数カウントを１付加し、（Ｓ６０７）で電磁弁をＯＦＦして給水を停止し、（Ｓ６０８）でノズルを捨水位置へ駆動させる。ここで、捨水位置とは、ノズルから噴出する水が人体に当たらない位置であり、例えば、ノズル収納状態で、ノズルから噴出する水はノズルを収納するケースなどに当たって、人体には当たらずに便器内へ落ちる。次に、（Ｓ６０９）でタイマをスタートさせ、（Ｓ６１０）で電磁弁をＯＮし給水を開始する。（Ｓ６１１）で、サーミスタの温度が設定温度Ｔ２より低くなれば、（Ｓ６１３）で電磁弁をＯＦＦし給水を停止させ、（Ｓ６１４）でノズルを収納位置へ駆動させ、洗浄待機状態へ移る。（Ｓ６１１）でサーミスタ温度が設定値Ｔ２より高いままであっても、（Ｓ６１２）でタイマのカウントが設定値になれば、（Ｓ６１３）で電磁弁をＯＦＦし給水を停止させ、（Ｓ６１４）でノズルを収納位置へ駆動させ、洗浄待機状態へ移る。これにより、洗浄動作中にサーミスタの温度が設定値より高い場合は給水を継続するが、一定時間経過又は設定温度以下になると給水を停止し、設定回数しか繰り返さないので、多量の水を無駄に捨てることがなくてすむ。
【００２１】
図６に本発明における請求項５の制御内容をフローチャートで示している。ここでは洗浄水温度検出手段をサーミスタとし、給水制御手段を電磁弁として、電磁弁ＯＮを給水開始、電磁弁ＯＦＦを給水停止としている。まず、洗浄ＳＷ  ＯＮ後、（Ｓ４０１）でノズルを洗浄位置へ駆動させ、（Ｓ４０２）で電磁弁をＯＮさせ給水を開始し、（Ｓ４０３）でサーミスタの温度が設定値Ｔ１より低ければ、（Ｓ４０４）で止信号が入力されるまで、（Ｓ４０３）に戻る。ここで、止信号とは、洗浄停止ＳＷ  ＯＮや、着座検出信号  ＯＦＦなどである。（Ｓ４０３）でサーミスタ温度が設定値Ｔ１より高ければ、（Ｓ４０５）でこの制御の回数カウントが設定値Ｎ以上の場合は、洗浄不可状態へ移行する。また、回数カウントがＮより小さいの場合は、（Ｓ４０６）で回数カウントを１付加し、（Ｓ４０７）で電磁弁をＯＦＦして給水を停止し、（Ｓ４０８）でノズルを捨水位置へ駆動させる。ここで、捨水位置とは、ノズルから噴出する水が人体に当たらない位置であり、例えば、ノズル収納状態で、ノズルから噴出する水はノズルを収納するケースなどに当たって、人体には当たらずに便器内へ落ちる。次に、（Ｓ４０９）でタイマをスタートさせ、（Ｓ４１０）で電磁弁をＯＮし給水を開始する。（Ｓ４１１）でタイマのカウントが設定値になれば、（Ｓ４１２）で電磁弁をＯＦＦし給水を停止させ、（Ｓ４１３）でノズルを収納位置へ駆動させ、洗浄待機状態へ移る。これにより、洗浄動作中にサーミスタの温度が設定値より高い場合は給水を継続するが、一定時間経過すると給水を停止し、設定回数しか繰り返さないので、多量の水を無駄に捨てることがなくてすむ。
【００２２】
図７に本発明における請求項６の制御内容をフローチャートで示している。ここでは洗浄水温度検出手段をサーミスタとし、給水制御手段を電磁弁として、電磁弁ＯＮを給水開始、電磁弁ＯＦＦを給水停止としている。まず、洗浄ＳＷ  ＯＮ後、（Ｓ５０１）でノズルを洗浄位置へ駆動させ、（Ｓ５０２）で電磁弁をＯＮさせ給水を開始し、（Ｓ５０３）でサーミスタの温度が設定値Ｔ１より低ければ、（Ｓ５０４）で止信号が入力されるまで、（Ｓ５０３）に戻る。ここで、止信号とは、洗浄停止ＳＷ  ＯＮや、着座検出信号  ＯＦＦなどである。（Ｓ５０３）でサーミスタ温度が設定値Ｔ１より高ければ、（Ｓ５０５）でこの制御の回数カウントが設定値Ｎ以上の場合は、洗浄不可状態へ移行する。また、回数カウントがＮより小さいの場合は、（Ｓ５０６）で回数カウントを１付加し、（Ｓ５０７）で電磁弁をＯＦＦして給水を停止し、（Ｓ５０８）でノズルを捨水位置へ駆動させる。ここで、捨水位置とは、ノズルから噴出する水が人体に当たらない位置であり、例えば、ノズル収納状態で、ノズルから噴出する水はノズルを収納するケースなどに当たって、人体には当たらずに便器内へ落ちる。次に、（Ｓ５０９）で電磁弁をＯＮし給水を開始する。（Ｓ５１０）で、サーミスタの温度が設定温度Ｔ２より低くなれば、（Ｓ５１１）で電磁弁をＯＦＦし給水を停止させ、（Ｓ５１２）でノズルを収納位置へ駆動させ、洗浄待機状態へ移る。これにより、洗浄動作中にサーミスタの温度が設定値より高い場合は給水を継続するが、設定温度以下になると給水を停止し、設定回数しか繰り返さないので、多量の水を無駄に捨てることがなくてすむ。
【００２３】
以上のようにして、衛生洗浄装置を制御させることで、衛生洗浄装置の洗浄動作時の一時的な高温状態による洗浄機能使用不可を自動的に解除することによって、使用者の手を煩わせることなく洗浄機能使用不可状態を解除することができるのである。
【００２４】
【発明の効果】
本発明は上記構成により次の効果を発揮する。
請求項１では、衛生洗浄装置の洗浄動作中に、一時的に高温の水が流入した場合は、人体に高温の水を当てることなく一定時間給水を継続することで、一時的な高温の水を排水し、洗浄機能を使用不可としてしまうことがないようにすることができる。
【００２５】
請求項２では、衛生洗浄装置の洗浄動作時に、一時的に高温の水が流入した場合は、人体に高温の水を当てることなく、水温が設定温度より低い値となるまで給水を継続することで、一時的な高温の水を排水し、洗浄機能を使用不可としてしまうことがないようにすることができる。
【００２６】
請求項３では、衛生洗浄装置の洗浄動作中に、一時的に高温の水が流入した場合は、人体に高温の水を当てることなく、水温が設定温度より低い値となるまで給水を継続するが、それまでに一定時間が経過すれば給水を停止し、多量の水を無駄に捨てることがないようにすることができる。
【００２７】
請求項４では、衛生洗浄装置の洗浄動作中に、一時的に高温の水が流入した場合は、人体に高温の水を当てることなく、水温が設定温度より低い値となるまで給水を継続するが、それまでに一定時間が経過すれば給水を停止し、設定回数しか繰り返さないため、多量の水を無駄に捨てることがないようにすることができる。
【００２８】
請求項５では、衛生洗浄装置の洗浄動作中に、一時的に高温の水が流入した場合は、人体に高温の水を当てることなく一定時間給水を継続することで、一時的な高温の水を排水し、設定回数しか繰り返さないため、多量の水を無駄に捨てることがないようにすることができる。
【００２９】
請求項６では、衛生洗浄装置の洗浄動作時に、一時的に高温の水が流入した場合は、人体に高温の水を当てることなく、水温が設定温度より低い値となるまで給水を継続することで、一時的な高温の水を排水し、設定回数しか繰り返さないため、多量の水を無駄に捨てることがないようにすることができる。
【図面の簡単な説明】
【図１】は本発明に係わる衛生洗浄装置の要部ブロック構成図である。
【図２】は本発明に係わる請求項１のフローチャートである。
【図３】は本発明に係わる請求項２のフローチャートである。
【図４】は本発明に係わる請求項３のフローチャートである。
【図５】は本発明に係わる請求項４のフローチャートである。
【図６】は本発明に係わる請求項５のフローチャートである。
【図７】は本発明に係わる請求項６のフローチャートである。
【符号の説明】
１…給水部（上水道口）
２…フィルタ（ストレーナ）
３…逆止弁
４…調圧弁
５…制御手段
６…着座検出手段（着座センサー）
７…給水制御手段（電磁弁）
８…安全弁
９…温水タンク（熱交タンク）
１０…温水ヒータ
１１…満水検出手段（フロートＳＷ）
１２…バキュームブレーカ
１３…流路切替兼流量調整弁
１４…ノズル装置
１５…着脱検出手段（着脱ＳＷ）
１６…温水温度検出手段（サーミスタ）
【図１】
2004293064.tif 000003
【図２】
2004293064.tif 000004
【図３】
2004293064.tif 000005
【図４】
2004293064.tif 000006
【図５】
2004293064.tif 000007
【図６】
2004293064.tif 000008
【図７】
2004293064.tif 000009